(57)【要約】【課題】自動検品機能を実行する際に生成された、不要な基準画像による記憶装置の容量の圧迫を防止するとともに、手動で基準画像を印刷ジョブに関連付ける場合等におけるユーザーの操作の煩雑化を抑止できる画像形成装置を提供する。【解決手段】印刷ジョブに基づき画像を形成する画像形成部と、形成された画像を読み取り、スキャン画像を生成する画像読取部と、基準画像を記憶する記憶部と、第１印刷ジョブに基づいて形成された検査対象画像を検査対象として読み取り、生成したスキャン画像を基準画像と比較して検査を行う制御部とを有し、制御部は、基準画像を生成する第２印刷ジョブに基づき形成された画像を読み取ることで生成したスキャン画像を再生成された基準画像として記憶させ、既に生成され第１印刷ジョブに関連付けされている既存の基準画像を削除して再生成された基準画像を第１印刷ジョブに関連付ける。【選択図】図１
2020053885.tif 000002
【特許請求の範囲】
【請求項１】
印刷ジョブに基づいて記録媒体に画像を形成する画像形成部と、
前記画像形成部により記録媒体に形成された画像を読み取ることで、スキャン画像を生成する画像読取部と、
検査において基準となる基準画像を記憶する記憶部と、
第１印刷ジョブに基づいて前記画像形成部により形成された検査対象画像を、検査対象として前記画像読取部により読み取り、生成したスキャン画像を前記基準画像と比較することで検査を行う制御部と、を有し、
前記制御部は、前記基準画像を生成するための第２印刷ジョブに基づいて前記画像形成部により形成された画像を前記画像読取部により読み取ることで生成した前記スキャン画像を再生成された前記基準画像として前記記憶部に記憶させるとともに、既に生成され、前記第１印刷ジョブに関連付けされている既存の基準画像を前記記憶部から削除して、再生成された前記基準画像を前記第１印刷ジョブに関連付ける、画像形成装置。
【請求項２】
前記制御部は、前記既存の基準画像の前記記憶部からの前記削除を、所定の条件を満たす場合に行う、請求項１に記載の画像形成装置。
【請求項３】
前記所定の条件は、前記既存の基準画像が他の第３印刷ジョブに関連付けて記憶されていないという第１条件を含む、請求項２に記載の画像形成装置。
【請求項４】
前記所定の条件は、前記既存の基準画像の作成時から所定の時間が経過しているという第２条件を含む、請求項２または３に記載の画像形成装置。
【請求項５】
前記所定の条件は、前記既存の基準画像を生成したときの印刷設定と、前記基準画像を再生成したときの印刷設定とが異なるという第３条件を含む、請求項２〜４のいずれか一項に記載の画像形成装置。
【請求項６】
前記所定の条件は、前記基準画像を再生成したときの出力モードが所定の出力モードであるという第４条件を含む、請求項２〜５のいずれか一項に記載の画像形成装置。
【請求項７】
前記所定の出力モードは、リプリントができないモードである、請求項６に記載の画像形成装置。
【請求項８】
前記基準画像が再生成されたときに、前記既存の基準画像を削除するかどうかの選択をユーザーから受け付ける選択画面を表示する表示部をさらに有し、
前記所定の条件は、前記選択画面で、前記既存の基準画像を削除するとの選択を受け付けたという第５条件を含む、請求項２〜７のいずれか一項に記載の画像形成装置。
【請求項９】
前記表示部は、前記所定の条件の設定をユーザーから受け付ける設定画面をさらに表示し、
前記制御部は、前記設定画面において受け付けた設定に基づいて、前記既存の基準画像が他の第３印刷ジョブに関連付けされていないという第１条件、前記既存の基準画像の作成時から所定の時間が経過しているという第２条件、前記既存の基準画像を生成したときの印刷設定と、前記基準画像を再生成したときの印刷設定とが異なるという第３条件、前記基準画像を再生成したときの出力モードが所定の出力モードであるという第４条件、および、前記選択画面で前記既存の基準画像を削除するとの選択を受け付けたという第５条件から選択された、いずれか１つの条件、または複数の条件のＡＮＤ条件またはＯＲ条件を前記所定の条件として設定する請求項８に記載の画像形成装置。
【請求項１０】
前記表示部は、前記選択画面を表示するかどうかの設定をユーザーから受け付ける設定画面をさらに表示し、
前記制御部は、前記設定画面において受け付けた設定に基づいて、前記選択画面を表示する、請求項８に記載の画像形成装置。
【請求項１１】
印刷ジョブに基づいて、記録媒体に画像を形成する画像形成部と、前記画像形成部により記録媒体に形成された画像を読み取ることで、スキャン画像を生成する画像読取部と、検査において基準となる基準画像を記憶する記憶部と、第１印刷ジョブに基づいて前記画像形成部により形成された検査対象画像を、検査対象として前記画像読取部により読み取り、生成したスキャン画像を前記基準画像と比較することで検査を行う制御部と、を有する画像形成装置の前記制御部により実行されるプログラムであって、
前記基準画像を生成するための第２印刷ジョブに基づいて、前記画像形成部により形成された画像を前記画像読取部により読み取ることで生成した前記スキャン画像を再生成された前記基準画像として前記記憶部に記憶させるとともに、既に生成され、前記第１印刷ジョブに関連付けされている既存の基準画像を前記記憶部から削除して、再生成された前記基準画像を前記第１印刷ジョブに関連付ける手順（ａ）を有する処理をコンピューターに実行させるための画像形成装置用プログラム。
【請求項１２】
前記手順（ａ）は、前記既存の基準画像の前記記憶部からの前記削除を、所定の条件を満たす場合に行う、請求項１１に記載の画像形成装置用プログラム。
【請求項１３】
前記所定の条件は、前記既存の基準画像が他の第３印刷ジョブに関連付けされていないという第１条件を含む、請求項１２に記載の画像形成装置用プログラム。
【請求項１４】
前記所定の条件は、前記既存の基準画像の作成時から所定の時間が経過しているという第２条件を含む、請求項１２または１３に記載の画像形成装置用プログラム。
【請求項１５】
前記所定の条件は、前記既存の基準画像を生成したときの印刷設定と、前記基準画像を再生成したときの印刷設定とが異なるという第３条件を含む、請求項１２〜１４のいずれか一項に記載の画像形成装置用プログラム。
【請求項１６】
前記所定の条件は、前記基準画像を再生成したときの出力モードが所定の出力モードであるという第４条件を含む、請求項１２〜１５のいずれか一項に記載の画像形成装置用プログラム。
【請求項１７】
前記所定の出力モードは、リプリントができないモードである、請求項１６に記載の画像形成装置用プログラム。
【請求項１８】
前記画像形成装置は表示部をさらに有し、
前記処理は、前記既存の基準画像を削除するかどうかの選択をユーザーから受け付ける選択画面を前記表示部に表示する手順（ｂ）をさらに有し、
前記所定の条件は、前記手順（ｂ）において、前記選択画面で、前記既存の基準画像を削除するとの選択を受け付けたという第５条件を含む、請求項１２〜１７のいずれか一項に記載の画像形成装置用プログラム。
【請求項１９】
前記処理は、
前記表示部に、前記所定の条件の設定をユーザーから受け付ける設定画面を表示する手順（ｃ）と、
前記設定画面において受け付けられた設定に基づいて、前記既存の基準画像が他の第３印刷ジョブに関連付けされていないという第１条件、前記既存の基準画像の作成時から所定の時間が経過しているという第２条件、前記既存の基準画像を生成したときの印刷設定と、前記基準画像を再生成したときの印刷設定とが異なるという第３条件、前記基準画像を再生成したときの出力モードが所定の出力モードであるという第４条件、および、前記選択画面で、前記既存の基準画像を削除するとの選択を受け付けたという第５条件から選択された、いずれか１つの条件、または複数の条件のＡＮＤ条件またはＯＲ条件を前記所定の条件として設定する手順（ｄ）と、をさらに有する請求項１８に記載の画像形成装置用プログラム。
【請求項２０】
前記処理は、
前記表示部に、前記選択画面を表示するかどうかの設定をユーザーから受け付ける設定画面を表示する手順（ｅ）と、
前記設定画面において受け付けた設定に基づいて、前記選択画面を表示する手順（ｆ）と、をさらに有する、請求項１８に記載の画像形成装置用プログラム。
【発明の詳細な説明】
【技術分野】
【０００１】
本発明は、画像形成装置および画像形成装置用プログラムに関する。
【背景技術】
【０００２】
従来、画像形成装置により用紙に画像を形成した後、用紙に形成された画像を読み取ることで生成されたスキャン画像を、正常な画像として検査の基準となる基準画像と比較することで、汚れ、角折れ、しわ、傾き等の異常を生じた印刷物をヤレ紙として検出している。検出されたヤレ紙は、良品の印刷物と区分けされて出力される。
【０００３】
このような技術に関連し、下記特許文献１には、画像形成装置により画像が形成された複数の用紙の中からユーザーが検品して異常がないと判断した用紙を、ラインセンサー等で読み取ることで生成されたスキャン画像を基準画像として用いることが開示されている。
【０００４】
検査対象の印刷物を出力するための印刷ジョブと基準画像とを予め関連付け、当該印刷ジョブに基づいて用紙に形成された画像のスキャン画像と、当該印刷ジョブに関連付けられた基準画像とを比較することでヤレ紙を検出する機能は自動検品機能と称される。自動検品機能においては、検査対象の印刷物を出力する印刷ジョブの印刷設定において印刷部数が例えば１部とされた基準画像生成ジョブを実行することで、基準画像の生成と、生成された基準画像の当該印刷ジョブへの関連付けとが行われる。また、基準画像生成ジョブの実行において、（１）印刷不良や印刷設定ミスがあった場合、（２）基準画像を生成してから長時間経過している場合等に、最新の装置状態で生成した基準画像を使用したい場合、および（３）既に実行した印刷ジョブに対し印刷設定等を変更してリプリントしたい場合等は、再度、基準画像生成ジョブを実行することで、印刷ジョブに関連付けられる基準画像を再生成する。
【先行技術文献】
【特許文献】
【０００５】
【特許文献１】特開２０１６−１４６５１４号公報
【発明の概要】
【発明が解決しようとする課題】
【０００６】
しかし、印刷ジョブに関連付けられる基準画像が再生成されても、元々印刷ジョブに関連付けられていた基準画像は、その後使用される可能性が比較的低いにもかかわらず、記憶装置に記憶されたままとなるため、記憶装置の容量を圧迫する。また、同じ印刷ジョブから派生した複数の基準画像生成ジョブの実行によりそれぞれ生成された複数の基準画像が存在することで、手動で基準画像を印刷ジョブに関連付ける際、ユーザーの基準画像の選択の操作が煩雑になる。上記特許文献１に開示された技術等では、これらの問題に対応できない。
【０００７】
本発明は、このような問題を解決するためになされたものである。すなわち、自動検品機能を実行する際に生成された、不要な基準画像による記憶装置の容量の圧迫を防止するとともに、手動で基準画像を印刷ジョブに関連付ける場合等におけるユーザーの操作の煩雑化を抑止できる画像形成装置、および画像形成装置用プログラムを提供することを目的とする。
【課題を解決するための手段】
【０００８】
本発明の上記課題は、以下の手段によって解決される。
【０００９】
（１）印刷ジョブに基づいて記録媒体に画像を形成する画像形成部と、前記画像形成部により記録媒体に形成された画像を読み取ることで、スキャン画像を生成する画像読取部と、検査において基準となる基準画像を記憶する記憶部と、第１印刷ジョブに基づいて前記画像形成部により形成された検査対象画像を、検査対象として前記画像読取部により読み取り、生成したスキャン画像を前記基準画像と比較することで検査を行う制御部と、を有し、前記制御部は、前記基準画像を生成するための第２印刷ジョブに基づいて前記画像形成部により形成された画像を前記画像読取部により読み取ることで生成した前記スキャン画像を再生成された前記基準画像として前記記憶部に記憶させるとともに、既に生成され、前記第１印刷ジョブに関連付けされている既存の基準画像を前記記憶部から削除して、再生成された前記基準画像を前記第１印刷ジョブに関連付ける、画像形成装置。
【００１０】
（２）前記制御部は、前記既存の基準画像の前記記憶部からの前記削除を、所定の条件を満たす場合に行う、上記（１）に記載の画像形成装置。
【００１１】
（３）前記所定の条件は、前記既存の基準画像が他の第３印刷ジョブに関連付けて記憶されていないという第１条件を含む、上記（２）に記載の画像形成装置。
【００１２】
（４）前記所定の条件は、前記既存の基準画像の作成時から所定の時間が経過しているという第２条件を含む、上記（２）または（３）に記載の画像形成装置。
【００１３】
（５）前記所定の条件は、前記既存の基準画像を生成したときの印刷設定と、前記基準画像を再生成したときの印刷設定とが異なるという第３条件を含む、上記（２）〜（４）のいずれかに記載の画像形成装置。
【００１４】
（６）前記所定の条件は、前記基準画像を再生成したときの出力モードが所定の出力モードであるという第４条件を含む、上記（２）〜（５）のいずれかに記載の画像形成装置。
【００１５】
（７）前記所定の出力モードは、リプリントができないモードである、上記（６）に記載の画像形成装置。
【００１６】
（８）前記基準画像が再生成されたときに、前記既存の基準画像を削除するかどうか選択をユーザーから受け付ける選択画面を表示する表示部をさらに有し、前記所定の条件は、前記選択画面で、前記既存の基準画像を削除するとの選択を受け付けたという第５条件を含む、上記（２）〜（７）のいずれかに記載の画像形成装置。
【００１７】
（９）前記表示部は、前記所定の条件の設定をユーザーから受け付ける設定画面をさらに表示し、前記制御部は、前記設定画面において受け付けた設定に基づいて、前記既存の基準画像が他の第３印刷ジョブに関連付けされていないという第１条件、前記既存の基準画像の作成時から所定の時間が経過しているという第２条件、前記既存の基準画像を生成したときの印刷設定と、前記基準画像を再生成したときの印刷設定とが異なるという第３条件、前記基準画像を再生成したときの出力モードが所定の出力モードであるという第４条件、および、前記選択画面で前記既存の基準画像を削除するとの選択を受け付けたという第５条件から選択された、いずれか１つの条件、または複数の条件のＡＮＤ条件またはＯＲ条件を前記所定の条件として設定する上記（８）に記載の画像形成装置。
【００１８】
（１０）前記表示部は、前記選択画面を表示するかどうかの設定をユーザーから受け付ける設定画面をさらに表示し、前記制御部は、前記設定画面において受け付けた設定に基づいて、前記選択画面を表示する、上記（８）に記載の画像形成装置。
【００１９】
（１１）印刷ジョブに基づいて、記録媒体に画像を形成する画像形成部と、前記画像形成部により記録媒体に形成された画像を読み取ることで、スキャン画像を生成する画像読取部と、検査において基準となる基準画像を記憶する記憶部と、第１印刷ジョブに基づいて前記画像形成部により形成された検査対象画像を、検査対象として前記画像読取部により読み取り、生成したスキャン画像を前記基準画像と比較することで検査を行う制御部と、を有する画像形成装置の前記制御部により実行されるプログラムであって、前記基準画像を生成するための第２印刷ジョブに基づいて、前記画像形成部により形成された画像を前記画像読取部により読み取ることで生成した前記スキャン画像を再生成された前記基準画像として前記記憶部に記憶させるとともに、既に生成され、前記第１印刷ジョブに関連付けされている既存の基準画像を前記記憶部から削除して、再生成された前記基準画像を前記第１印刷ジョブに関連付ける手順（ａ）を有する処理をコンピューターに実行させるための画像形成装置用プログラム。
【００２０】
（１２）前記手順（ａ）は、前記既存の基準画像の前記記憶部からの前記削除を、所定の条件を満たす場合に行う、上記（１１）に記載の画像形成装置用プログラム。
【００２１】
（１３）前記所定の条件は、前記既存の基準画像が他の第３印刷ジョブに関連付けされていないという第１条件を含む、上記（１２）に記載の画像形成装置用プログラム。
【００２２】
（１４）前記所定の条件は、前記既存の基準画像の作成時から所定の時間が経過しているという第２条件を含む、上記（１２）または（１３）に記載の画像形成装置用プログラム。
【００２３】
（１５）前記所定の条件は、前記既存の基準画像を生成したときの印刷設定と、前記基準画像を再生成したときの印刷設定とが異なるという第３条件を含む、上記（１２）〜（１４）のいずれかに記載の画像形成装置用プログラム。
【００２４】
（１６）前記所定の条件は、前記基準画像を再生成したときの出力モードが所定の出力モードであるという第４条件を含む、上記（１２）〜（１５）のいずれかに記載の画像形成装置用プログラム。
【００２５】
（１７）前記所定の出力モードは、リプリントができないモードである、上記（１６）に記載の画像形成装置用プログラム。
【００２６】
（１８）前記画像形成装置は表示部をさらに有し、前記処理は、前記既存の基準画像を削除するかどうかの選択をユーザーから受け付ける選択画面を前記表示部に表示する手順（ｂ）をさらに有し、前記所定の条件は、前記手順（ｂ）において、前記選択画面で、前記既存の基準画像を削除するとの選択を受け付けたという第５条件を含む、上記（１２）〜（１７）のいずれかに記載の画像形成装置用プログラム。
【００２７】
（１９）前記処理は、前記表示部に、前記所定の条件の設定をユーザーから受け付ける設定画面を表示する手順（ｃ）と、前記設定画面において受け付けられた設定に基づいて、前記既存の基準画像が他の第３印刷ジョブに関連付けされていないという第１条件、前記既存の基準画像の作成時から所定の時間が経過しているという第２条件、前記既存の基準画像を生成したときの印刷設定と、前記基準画像を再生成したときの印刷設定とが異なるという第３条件、前記基準画像を再生成したときの出力モードが所定の出力モードであるという第４条件、および、前記選択画面で、前記既存の基準画像を削除するとの選択を受け付けたという第５条件から選択された、いずれか１つの条件、または複数の条件のＡＮＤ条件またはＯＲ条件を前記所定の条件として設定する手順（ｄ）と、をさらに有する上記（１８）に記載の画像形成装置用プログラム。
【００２８】
（２０）前記処理は、前記表示部に、前記選択画面を表示するかどうかの設定をユーザーから受け付ける設定画面を表示する手順（ｅ）と、前記設定画面において受け付けた設定に基づいて、前記選択画面を表示する手順（ｆ）とをさらに有する、上記（１８）に記載の画像形成装置用プログラム。
【発明の効果】
【００２９】
基準画像を再生成して記憶部に記憶させる際、既に生成され、印刷ジョブに関連付けされている既存の基準画像を記憶部から削除し、再生成された基準画像を印刷ジョブに関連付ける。これにより、自動検品機能を実行する際に生成された、不要な基準画像による記憶装置の容量の圧迫を防止するとともに、手動で基準画像を印刷ジョブに関連付ける場合等におけるユーザーの操作の煩雑化を抑止できる。
【図面の簡単な説明】
【００３０】
【図１】画像形成システムの構成を示す概略図である。
【図２】画像形成システムの構成を示すブロック図である。
【図３】所定の条件を設定するための、基準画像削除条件設定画面を示す図である。
【図４Ａ】画像形成システムの動作を示すフローチャートである。
【図４Ｂ】画像形成システムの動作を示すフローチャートである。
【発明を実施するための形態】
【００３１】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００３２】
（画像形成システム）
図１は、本発明の実施形態に係る画像形成システムの構成を示す概略図である。図２は、画像形成システムの構成を示すブロック図である。
【００３３】
画像形成システム１００は、画像形成装置１０１、読取装置１０２、後処理装置１０３、給紙装置１０４を有する。画像形成装置１０１は記録媒体（たとえば用紙）に画像形成（印刷）を行う。以下、記録媒体として用紙Ｓを例示して説明する。読取装置１０２は、用紙Ｓに形成された画像を読み取る。後処理装置１０３は画像形成された用紙を後処理する。給紙装置１０４は給紙トレイ４１と共に、収納している用紙Ｓを画像形成部３０へ供給する。なお、これらの装置は、それぞれ他の装置を含んで構成されてもよい。従って、例えば、画像形成装置１０１は、読取装置１０２を含んで構成され得る。画像形成システム１００は、プロダクションプリント機であり得る。
【００３４】
図２に示すように、画像形成システム１００は、制御部１０、記憶部２０、画像形成部３０、給紙搬送部４０、操作表示部５０、読取部６０、後処理部７０、および通信部８０を有する。これらは、各部の間で信号をやり取りするためのバスを介して相互に接続されている。読取部６０は画像読取部を構成する。
【００３５】
制御部１０は、ＣＰＵであり、プログラムに従って各部の制御や各種の演算処理を行う。制御部１０は、画像形成装置１０１が備える制御部１２と、読取装置１０２が備える制御部１１とを含み、これらが協働して画像形成システム１００全体を制御する。制御部１０の具体的な制御については後述する。
【００３６】
記憶部２０は、画像形成装置１０１が備える記憶部２２と、読取装置１０２が備える記憶部２１とを含む。記憶部２０は、各種プログラムや各種データを格納しておくＲＯＭ、作業領域として一時的にプログラムやデータを記憶するＲＡＭ、および各種プログラムや各種データを格納するハードディスク等から構成される。
【００３７】
画像形成部３０は、中間転写ベルト３１、感光体ドラム３２、現像部３３、書込部３４、および２次転写部３５を備える。
【００３８】
感光体ドラム３２、現像部３３、および書込部３４は、イエロー（Ｙ）、マゼンタ（Ｍ）、シアン（Ｃ）、ブラック（Ｋ）の各基本色に対応した構成をそれぞれ備える。図１では、感光体ドラム３２、現像部３３については、符号３２（Ｙ）、３３（Ｙ）以外の符号の表記を省略している。
【００３９】
画像形成部３０の書込部３４は、画像データに基づいて、帯電された感光体ドラム３２の表面を露光し、静電潜像を形成する。現像部３３では、形成された静電潜像を現像部３３のトナーにより現像して、各感光体ドラム３２の表面に各色のトナー画像を形成する。これを各色の１次転写部（図示せず）で中間転写ベルト３１上に順次重ねてゆき、フルカラーのトナー画像を形成する。このトナー画像は、２次転写部３５で用紙Ｓ上に転写される。その後、トナー画像が形成された用紙Ｓは、定着部３６へ搬送されて、定着部３６で加熱・加圧処理することで用紙Ｓ上にフルカラーの画像を定着する。
【００４０】
給紙搬送部４０は、給紙トレイ４１、搬送路４２（４２ａ〜４２ｄ）、複数の搬送ローラー、これを駆動する駆動モーター（図示せず）、および給紙装置１０４を備える。
【００４１】
給紙搬送部４０は、駆動モーターの駆動によってそれぞれの搬送ローラーを所定のタイミングで回転させ、給紙トレイ４１または給紙装置１０４から供給される用紙Ｓを画像形成部３０へ搬送する。
【００４２】
給紙トレイ４１は、ここでは上トレイ４１ａと下トレイ４１ｂの２段の引き出し式トレイとなっていて、それぞれ個別に用紙を収納し、画像形成装置１０１へ用紙を供給する。
【００４３】
給紙装置１０４は、画像形成装置１０１内部の上トレイ４１ａおよび下トレイ４１ｂよりも多くの用紙を収納し、画像形成装置１０１へ用紙Ｓを供給する。
【００４４】
搬送路４２は、画像形成部３０内の搬送路４２ａ、４２ｄ、読取装置１０２内の搬送路４２ｂ、後処理部７０内の搬送路４２ｃから構成される。
【００４５】
給紙装置１０４または給紙トレイ４１から給紙された用紙Ｓは、搬送路４２ａを搬送される。搬送路４２ａには、クラッチにより回転、停止することで用紙の搬送タイミングを調整するレジストローラー４３１が配置されている。
【００４６】
搬送路４２ａを搬送され画像形成部３０により画像形成された用紙Ｓは、下流側の搬送路４２ｂ、４２ｃを経由して、印刷ジョブの印刷設定に応じた各処理を施されたのち機外に排出され排紙トレイ４４上に載置される。印刷設定には、例えば、Ｎｉｎ１（ページ割付）、印刷部数の設定、ステープル、パンチ、折り、ウォーターマーク、原稿の向き、用紙サイズ、およびグレースケール化の設定が含まれる。
【００４７】
印刷ジョブの印刷設定が、両面印刷の設定であれば、片面（第１面、通常は表面）に画像形成された用紙Ｓを画像形成部３０の下部にあるＡＤＵ搬送路４２ｄに搬送する。このＡＤＵ搬送路４２ｄに搬送された用紙Ｓは、スイッチバック経路で表裏を反転された後、搬送路４２ａに合流し、再び画像形成部３０で用紙Ｓのもう一方の面（第２面、通常は裏面）に画像形成される。
【００４８】
操作表示部５０はタッチパネル付きディスプレイ、テンキー、スタートボタン、ストップボタン等を備えており、各種指示を入力するための入力画面および装置の状態等を表示するとともに、印刷設定等の各種設定および各種指示の入力を受け付ける。
【００４９】
読取部６０は、搬送路４２ｂ上に、この搬送路４２ｂを通過する、画像形成された用紙Ｓの画像を読み取ることで、スキャン画像を生成する。スキャン画像は、例えば、ビットマップ形式のデータであり得る。
【００５０】
読取部６０は、ラインイメージセンサー、レンズ光学系、ＬＥＤ（Ｌｉｇｈｔ  Ｅｍｉｔｔｉｎｇ  Ｄｉｏｄｅ）光源およびこれらを収納する筐体等を備え、搬送される用紙Ｓに形成された画像を読み取る。画像の読み取りは、ＬＥＤ光源からの光が、搬送路４２ｂ上の読取位置を通過する用紙Ｓの表面を照射し、読取位置の像がレンズ光学系により導かれ、ラインイメージセンサー上に結像することでなされる。
【００５１】
後処理部７０は、搬送路４２ｃに設けられている。後処理部７０では、たとえば綴じ処理を行い、用紙をスタックするスタック部とステープル部を有し、複数枚の用紙Ｓをこのスタック部で重ねた後、ステープル部でステープルを用いた平綴じ処理を行う。平綴じされた用紙Ｓの束は、排紙トレイ４４上に排出される。また平綴じしない用紙Ｓは、そのまま搬送路４２ｃを経由して排出される。
【００５２】
通信インターフェース９５には、ＳＡＴＡ、ＰＣＩ  Ｅｘｐｒｅｓ、ＵＳＢ、イーサネット（登録商標）、ＩＥＥＥ１３９４などの規格によるネットワークインターフェース、Ｂｌｕｅｔｏｏｔｈ（登録商標）、ＩＥＥＥ８０２．１１などの無線通信インターフェース、などの各種ローカル接続インターフェースが用いられる。通信インターフェース９５を通じてＰＣ等の外部の端末からの印刷データおよび印刷設定で構成される印刷ジョブが受信される。
【００５３】
制御部１０は、印刷ジョブに基づいて、画像形成部３０により用紙Ｓに画像形成し、画像形成された用紙Ｓを読取部６０により読み取ることでスキャン画像を生成する。制御部１０は、生成したスキャン画像と、当該印刷ジョブに関連付けられた（紐付けられた）基準画像とを比較することで、用紙Ｓに形成された画像を検査する。基準画像は、正常な画像として、検査の基準となる画像である。これにより、自動検品機能が実行される。制御部１０は、検査の結果、用紙Ｓに形成された画像に異常があると判断した場合は、異常があると判断した画像が形成された用紙Ｓをヤレ紙と判定し、排紙トレイ４４とは別に設けられた、ヤレ紙排出用のトレイ（図示せず）へ排出する。ヤレ紙として判定される、用紙Ｓ上の画像の異常には、汚れ、角折れ、しわ、傾き等が含まれる。以下、検査対象となる画像（検査対象画像）を用紙Ｓ上に形成するための印刷ジョブを検査ジョブと称する。この検査ジョブでは、商品の印刷物を出力する。また、検査ジョブは第１印刷ジョブを構成する。
【００５４】
制御部１０は、基準画像を生成するための印刷ジョブに基づいて、画像形成部３０により用紙Ｓに画像形成し、画像形成された用紙Ｓを読取部６０により読み取ることで、基準画像として使用するスキャン画像を生成する。生成されたスキャン画像は、ユーザーによる目視検査等により正常と判断された後、基準画像として、当該基準画像を検査に使用する検査ジョブに関連付けられるとともに、記憶部２０に記憶される。なお、基準画像は、読取装置１０２が備える記憶部２１に記憶され得る。以下、基準画像を生成するための印刷ジョブを基準画像生成ジョブと称する。基準画像生成ジョブは第２印刷ジョブを構成する。
【００５５】
基準画像生成ジョブは、検査ジョブの印刷部数を複数部から例えば１部に変更することで生成した印刷ジョブであり得る。また、基準画像生成ジョブは、必要に応じて、検査ジョブに対し印刷設定が変更され得る。基準画像生成ジョブを生成するときの出力モードとしては、例えば、プルーフ出力モードおよびサンプル出力モードがある。プルーフ出力モードは、検査ジョブを実行する前に、印刷物を１部印刷し、目視検査で正常と判断された場合に、当該印刷物のスキャン画像を基準画像として記憶し、検査ジョブに対応付けて検査を行った後、検査ジョブを記憶部２０から削除（または記憶部２０に保存しない）モードであり得る。サンプル出力モードは、記憶されている検査ジョブのうちいずれかについて、印刷物を１部印刷するとともに、当該印刷物のスキャン画像を基準画像として前記検査ジョブに関連付けて検査ジョブとともに記憶するモードであり得る。以下、説明を簡単にするために、特記しない限り、基準画像生成ジョブは、プルーフ出力モードで実行されるものとして説明する。
【００５６】
制御部１０は、基準画像生成ジョブを実行することで生成された基準画像を再生成する際、次の制御を行う。プルーフ出力モードによる基準画像生成ジョブは、通常、検査ジョブの実行前に実行される。制御部１０は、基準画像生成ジョブを実行することで既に生成された基準画像を記憶部２１に記憶させるとともに、実行待ちの検査ジョブと関連付ける。制御部１０は、基準画像を再生成するための基準画像生成ジョブを実行して基準画像を再生成し、記憶部２１に記憶させるとともに、記憶部２１に記憶されている既存の基準画像（以下、単に「既存の基準画像」と称する）を記憶部２１から削除して、再生成された基準画像を検査ジョブと関連付ける。これにより、１つの検査ジョブに使用される基準画像は１つのみが記憶部２１に記憶されることになる。所定の条件には、例えば、次の条件が含まれる。（１）既存の基準画像が、当該検査ジョブ以外の他の検査ジョブに関連付けて記憶されていないこと（第１条件）。（２）既存の基準画像が、その作成時から所定の時間が経過していること（第２条件）。（３）既存の基準画像が生成されたときの印刷設定と、基準画像を再生成したときの印刷設定とが異なること（第３条件）。（４）基準画像を生成した基準画像生成ジョブの出力モードが所定のモードであること（第４条件）。所定のモードは、例えば、リプリントができないモードであり、検査ジョブを記憶部２０に記憶しないために検査ジョブを使用したリプリントができないプルーフ出力モードが該当する。（５）既存の基準画像を削除するかどうかの選択を受け付ける選択画面（操作表示部５０に表示される）において、削除するとの選択を受け付けたこと（第５条件）。
【００５７】
所定の条件は、上記第１条件〜第５条件からユーザーにより選択された、いずれか１つの条件、または複数の条件のＡＮＤ条件またＯＲ条件であり得る。
【００５８】
図３は、所定の条件を設定するための、基準画像削除条件設定画面を示す図である。基準画像削除条件設定画面は、選択画面および設定画面を構成する。図３においては、選択されたボタンを、グレーの色を付して示している。
【００５９】
図３の例においては、既存の基準画像を削除（自動削除）するかどうかを選択するためのボタンが３つ表示されている。ユーザーは、これらの、「実施しない」ボタン、「実施する（毎回）」ボタン、および、「実施する（条件一致時）」ボタンのうちいずれかを選択できる。「実施しない」ボタンは、既存の基準画像を削除しないことを選択するためのボタンである。「実施する（毎回）」ボタンは、既存の基準画像を、基準画像生成ジョブの実行毎に必ず削除することを選択するためのボタンである。「実施する（条件一致時）」ボタンは、所定の条件を満たす場合に、既存の基準画像を削除することを選択するためのボタンである。なお、既存の基準画像が削除された場合は、上述したように、基準画像生成ジョブの実行により再生成された基準画像が、当該印刷ジョブと関連付けされて記憶される。
【００６０】
図３において、角丸四角形内に表示されたボタンは、所定の条件に含まれる削除条件を設定するためのボタンが表示されている。基準画像作成日に関する設定ボタンは、「指定しない」ボタンと、「５０日以上前」ボタンの２つである。「指定しない」ボタンは、基準画像作成日にかかわらず全ての既存の基準画像を削除対象とすることを設定するためのボタンである。「５０日以上前」ボタンは、基準画像作成日から５０日以上経過した、既存の基準画像を削除することを設定するためのボタンである。なお、「５０日以上前」ボタンに代えて、プルダウンメニューにより日数を選択することで、選択された日数以上経過した基準画像を削除することを設定するようにしてもよい。
【００６１】
出力モードに関する設定ボタンは、「指定しない」ボタンと、「プルーフ出力のみ」ボタンと、「サンプル出力のみ」ボタンの３つである。「指定しない」ボタンは、出力モードにかかわらず全ての既存の基準画像を削除対象とすることを設定するためのボタンである。「プルーフ出力のみ」ボタンは、基準画像を生成した基準画像生成ジョブの出力モードがプルーフ出力モードである場合に、既存の基準画像を削除することを設定するためのボタンである。プルーフ出力モードにより生成された基準画像以外の基準画像は今後使用しない場合が多いことから本ボタンが設けられている。「サンプル出力のみ」ボタンは、基準画像を生成した基準画像生成ジョブの出力モードがサンプル出力モードである場合に、既存の基準画像を削除することを設定するためのボタンである。サンプル出力モードにより最後に生成された基準画像以外の基準画像を今後使用しないような場合に対応するために本ボタンが設けられている。
【００６２】
設定変更に関する設定ボタンは、「指定しない」ボタンと、「設定変更時のみ」ボタンと、「同一設定時のみ」ボタンの３つである。「指定しない」ボタンは、既存の基準画像が生成されたときの印刷設定と、再生成された基準画像が生成されたときの印刷設定とが異なるかどうかにかかわらず全ての基準画像を削除対象とすることを設定するためのボタンである。基準画像が生成されたときの印刷設定は、基準画像のファイルのヘッダーにおいて記憶され得る。「設定変更時のみ」ボタンは、既存の基準画像が生成されたときの印刷設定と、再生成された基準画像が生成されたときの印刷設定とが異なる場合に、既存の基準画像を削除することを設定するためのボタンである。設定ミスにより本来出力すべき印刷設定と異なる設定で基準画像を生成したい場合や、正しい印刷設定でそれぞれ生成した複数の基準画像を残しておき、後で使用する基準画像を手動で切り替えたい場合に対応するために本ボタンが設けられている。「同一設定時のみ」ボタンは、既存の基準画像が生成されたときの印刷設定と、再生成された基準画像が生成されたときの印刷設定とが同一である場合に、既存の基準画像を削除することを設定するためのボタンである。異なる印刷設定で生成された複数の基準画像を残しておきたい場合や、同じ設定で生成された基準画像は最新の基準画像を残したい場合に対応するために本ボタンが設けられている。
【００６３】
基準画像削除確認画面の表示に関する設定ボタンは、「表示しない」ボタンと、「表示する」ボタンの２つである。基準画像削除確認画面は、基準画像が再生成されたときに表示され、既存の基準画像を削除するかどうかの択一の選択を最終的な確認のためにユーザーから受付けるための画面である。「表示しない」ボタンは、基準画像削除確認画面を表示しないことを設定するためのボタンである。「表示する」ボタンは、基準画像削除確認画面を表示することを設定するためのボタンである。
【００６４】
画像形成システムの動作について説明する。
【００６５】
図４Ａおよび図４Ｂは、画像形成システムの動作を示すフローチャートである。本フローチャートは、読取装置１０２が備える制御部１１により、記憶部２１に記憶されたプログラムに従って実行され得る。なお、本フローチャートの一部は、画像形成装置１０１が備える制御部１２により実行されてもよく、制御部１１および制御部１２が協働することで実行されてもよい。
【００６６】
本フローチャートは、既存の基準画像が検査ジョブに関連付けられている状態を前提としている。
【００６７】
制御部１１は、基準画像生成ジョブを実行し（Ｓ１０１）、出力された画像を読取部６０で読み取ることで基準画像を再生成する（Ｓ１０２）。
【００６８】
制御部１１は、既存の基準画像が存在するかどうか判断する（Ｓ１０３）。制御部１１は、既存の基準画像が存在しないと判断した場合は（Ｓ１０３：ＮＯ）、ステップＳ１０９へ移行する。
【００６９】
制御部１１は、既存の基準画像が存在すると判断した場合は（Ｓ１０３：ＹＥＳ）、既存の基準画像が、他の検査ジョブにも関連付けされているかどうか判断する（Ｓ１０４）。既存の基準画像が、他の検査ジョブにも関連付けされているかどうかは、例えば、サンプル出力モードの基準画像生成ジョブが実行されることで記憶部２０に記憶された基準画像生成ジョブに記載された基準画像ファイルのＩＤが既存の基準画像のファイルＩＤと一致していることで判断できる。また、手動で検査に使用される基準画像が設定された検査ジョブが実行待ちの状態にある場合に、実行待ちの検査ジョブに記載された基準画像ファイルのＩＤが既存の基準画像のファイルＩＤと一致していることで判断できる。制御部１１は、既存の基準画像が、他の検査ジョブにも関連付けされていると判断した場合は（Ｓ１０４：ＹＥＳ）、ステップＳ１０９へ移行する。
【００７０】
制御部１１は、既存の基準画像が、他の検査ジョブには関連付けされていないと判断した場合は（Ｓ１０４：ＮＯ）、自動削除の設定（図３参照）が、「実施しない」になっているかどうか判断する（Ｓ１０５）。制御部１１は、自動削除の設定が、「実施しない」になっていると判断した場合は（Ｓ１０５：ＹＥＳ）、ステップＳ１０９へ移行する。
【００７１】
制御部１１は、自動削除の設定が、「実施しない」になっていないと判断した場合は（Ｓ１０５：ＮＯ）、自動削除の設定が、「実施する（条件一致時）」になっているかどうか判断する（Ｓ１０６）。制御部１１は、自動削除の設定が、「実施する（条件一致時）」になっていると判断した場合は（Ｓ１０６：ＹＥＳ）、削除条件に一致するかどうか判断する（Ｓ１１０）。制御部１１は、削除条件に一致しないと判断した場合は（Ｓ１１０：ＮＯ）、ステップＳ１０９へ移行する。
【００７２】
制御部１１は、削除条件に一致すると判断した場合は（Ｓ１１０：ＹＥＳ）、基準画像削除確認表示が「表示する」の設定になっているかどうか判断する（Ｓ１０７）。制御部１１は、基準画像削除確認表示が「表示する」の設定になっていると判断した場合は（Ｓ１０７：ＹＥＳ）、削除実施選択画面を操作表示部５０に表示し（Ｓ１１１）、削除実施選択画面で削除の選択がされたかどうか判断する（Ｓ１１２）。制御部１１は、削除の選択がされていないと判断した場合は（Ｓ１１２：ＮＯ）、ステップＳ１０９へ移行する。制御部１１は、削除の選択がされていると判断した場合は（Ｓ１１２：ＹＥＳ）、既存の基準画像を削除し（Ｓ１０８）、再生成した基準画像を検査ジョブに関連付けて記憶部２１に記憶させる（Ｓ１０９）。
【００７３】
ステップＳ１０７において、基準画像削除確認表示が「表示する」の設定になっていないと判断した場合も（Ｓ１０７：ＮＯ）、制御部１１は、既存の基準画像を削除し（Ｓ１０８）、再生成した基準画像を検査ジョブに関連付けて記憶部２１に記憶させる（Ｓ１０９）。
【００７４】
本実施形態は以下の効果を奏する。
【００７５】
基準画像を再生成して記憶部に記憶させる際、既に生成され、検査ジョブに関連付けされている既存の基準画像を記憶部から削除し、再生成された基準画像を検査ジョブに関連付ける。これにより、自動検品機能を実行する際に生成された、不要な基準画像による記憶装置の容量の圧迫を防止するとともに、手動で基準画像を印刷ジョブに関連付ける場合等におけるユーザーの操作の煩雑化を抑止できる。
【００７６】
さらに、所定の条件を満たす場合に、既存の基準画像を記憶部から削除する。これにより、適切に不要な基準画像を削除できる。
【００７７】
さらに、所定の条件に、既存の基準画像が他の第３印刷ジョブに関連付けて記憶されていないという第１条件を含める。これにより、基準画像の削除により他の印刷ジョブが実行不能になるような事態を回避できる。
【００７８】
さらに、所定の条件に、既存の基準画像の作成時から所定の時間が経過しているという第２条件を含める。これにより、既存の基準画像の要不要を適切に判断できる。
【００７９】
さらに、所定の条件に、既存の基準画像を生成したときの印刷設定と、基準画像を再生成したときの印刷設定とが異なるという第３条件を含める。これにより、印刷設定ミス等により生成された不要な基準画像を適切に削除できる。
【００８０】
さらに、所定の条件に、基準画像を再生成したときの出力モードが所定の出力モードであるという第４条件を含める。これにより、基準画像作成ジョブの出力モードに応じて適切に不要な基準画像を削除できる。
【００８１】
さらに、所定の出力モードを、リプリントができないモードとする。これにより、検査ジョブを記憶部に記憶させずに、検査ジョブを１回のみ実行する場合に、当該検査ジョブに使用される基準画像を１つに削減して記憶部に記憶させることができる。
【００８２】
さらに、基準画像が再生成されたときに、既存の基準画像を削除するかどうかの選択をユーザーから受け付ける選択画面を表示し、所定の条件に、選択画面で、既存の基準画像を削除するとの選択を受け付けたという第５条件を含める。これにより、既存の基準画像の削除前に、ユーザーへの当該既存の基準画像の削除の最終確認を行うことができる。
【００８３】
さらに、所定の条件の設定をユーザーから受け付ける設定画面を表示し、設定画面において受け付けた設定に基づいて、上記第１条件〜第５条件から選択された、いずれか１つの条件、または複数の条件のＡＮＤ条件またはＯＲ条件を所定の条件として設定する。これにより、より適切に不要な基準画像を削除できる。
【００８４】
さらに、選択画面を表示するかどうかの設定をユーザーから受け付ける設定画面を表示し、設定画面において受け付けた設定に基づいて、選択画面を表示する。これにより、ユーザーの意思に基づいて、手続が煩雑となることを適切に回避できる。
【００８５】
以上に説明した画像形成装置および画像形成装置用プログラムの構成は、上述の実施形態の特徴を説明するにあたって主要構成を説明したのであって、上述の構成に限られず、特許請求の範囲内において、種々改変することができる。また、一般的な画像形成装置等が備える構成を排除するものではない。
【００８６】
例えば、上述した実施形態においては、削除条件を満たす場合に、基準画像削除確認画面を表示する構成になっている。しかし、削除条件を満たす場合は、基準画像削除確認画面を表示せずに基準画像を削除し、削除条件を満たさない基準画像の削除を、基準画像削除確認画面を表示することでユーザーに確認してもよい。
【００８７】
また、上述した実施形態に係る画像形成システムにおける各種処理を行う手段および方法は、専用のハードウエア回路、またはプログラムされたコンピューターのいずれによっても実現することが可能である。上記プログラムは、例えば、ＵＳＢメモリやＤＶＤ（Ｄｉｇｉｔａｌ  Ｖｅｒｓａｔｉｌｅ  Ｄｉｓｃ）−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、一機能としてその検出部等の装置のソフトウエアに組み込まれてもよい。
【符号の説明】
【００８８】
１０、１１、１２  制御部、
２０、２１、２２  記憶部、
３０  画像形成部、
４０  給紙搬送部、
５０  操作表示部、
６０  読取部、
７０  後処理部、
８０  通信部、
１００  画像形成システム、
１０１  画像形成装置、
１０２  読取装置、
１０３  後処理装置、
１０４  給紙装置。
【図１】
2020053885.tif 000003
【図２】
2020053885.tif 000004
【図３】
2020053885.tif 000005
【図４Ａ】
2020053885.tif 000006
【図４Ｂ】
2020053885.tif 000007